(57)【特許請求の範囲】
【請求項１】
ア．通気口が形成された主壁部を有する本体と、
イ．上記本体に、上記通気口を開く開き位置と上記通気口を閉じる閉じ位置との間で、スライド可能に支持された作動板と、
ウ．上記本体の室内側に配置されて上記作動板をスライド操作する操作部材と、
を備えた換気装置において、
さらにＵ字形をなす形状記憶合金製のバネを備え、このバネの一端が上記本体に固定された固定端となり、他端が自由端となっており、
通常の環境温度では、上記バネの弾性力が上記作動板に作用せず、上記作動板は上記操作部材により選択された位置を維持され、
火災により環境温度が異常レベルまで上昇した時には、上記バネが高温での記憶形状に戻ろうとして上記自由端が変位し、この自由端が上記開き位置にある上記作動板に直接または間接的に作用し、上記バネの弾性力により上記作動板を、上記操作部材の操作による閉じ位置またはこの閉じ位置とは異なる閉じ位置まで移動させ、上記通気口を閉じることを特徴とする換気装置。
【請求項２】
上記本体および上記作動板が細長く形成され、上記作動板が上記長手方向にスライド可能であり、
上記本体の主壁部には、上記通気口が長手方向に等間隔をおいて多数形成され、
上記作動板には、多数の制御口が長手方向に上記通気口と同一ピッチで形成され、
上記作動板は、上記主壁部に接しながらスライドし、上記開き位置では上記制御口が上記通気口と一致して上記通気口を開き、上記閉じ位置では上記制御口が上記通気口と不一致となって上記通気口を閉じ、
上記作動板には、環境温度が異常レベルまで上昇した時に上記バネの自由端から上記バネの弾性力を受けるバネ受け部が設けられていることを特徴とする請求項１に記載の換気装置。
【請求項３】
上記作動板は、上記本体の上記主壁部に接し上記制御口を形成してなる主板部と、この主板部と直交する副板部とを有し、この副板部に形成された切欠の端が上記バネ受け部として提供されることを特徴とする請求項２に記載の換気装置。
【請求項４】
上記操作部材による上記作動板の上記閉じ位置を第１閉じ位置とし、上記バネによる上記作動板の閉じ位置を第２閉じ位置とし、上記作動板の上記開き位置から上記第１閉じ位置までの移動ストロークは、上記通気口の１ピッチより長く、上記作動板の上記開き位置から上記第２閉じ位置までの移動ストロークは、上記通気口の１ピッチより小さいことを特徴とする請求項２または３に記載の換気装置。
【請求項５】
上記作動板の上記開き位置から上記第１閉じ位置までの移動ストロークが、上記通気口の１．５ピッチであり、上記作動板の上記開き位置から上記第２閉じ位置までの移動ストロークが、上記通気口の１．５ピッチであることを特徴とする請求項４に記載の換気装置。
【請求項６】
上記本体および上記作動板が細長く形成され、
上記作動板は、上記本体に長手方向にスライド可能かつ回動可能に支持され、上記スライドの過程でカム部材により回動され、上記開き位置では上記主壁部に対して離間して上記通気口を開き、上記閉じ位置では上記壁に接近して上記通気口を閉じ、
さらに、上記本体に長手方向にスライド可能に支持されたスライダを備え、このスライダは、上記作動板に対して軸方向相対移動不能であるが上記作動板の回動を許容するように連結され、
上記スライダは、環境温度が異常レベルまで上昇した時に上記バネの自由端から上記バネの弾性力を受けるバネ受け部を有することを特徴とする請求項１に記載の換気装置。
【請求項７】
ア．通気口が形成された主壁部を有する本体と、
イ．上記本体に回動可能に支持された作動板と、
ウ．上記本体の室内側に配置された操作部材と、
エ．上記操作部材に連結され上記本体にスライド可能に支持されたスライダと、
オ．上記スライダに支持されたカム部材と、
を備え、上記操作部材の操作により上記スライダをスライドさせ、このスライド過程で上記カム部材のカム作用により上記作動板を回動し、上記通気口を開閉する換気装置において、
さらにＵ字形をなす形状記憶合金製のバネを備え、このバネの一端が上記本体に固定された固定端となり、他端が自由端となっており、
通常の環境温度では、上記バネの弾性力が上記スライダに作用せず、上記作動板は上記操作部材により選択された位置を維持され、
火災により環境温度が異常レベルまで上昇した時には、上記バネが高温での記憶形状に戻ろうとして上記自由端が変位し、この自由端が上記作動板の開き位置に対応した位置にある上記スライダに作用し、上記バネの弾性力により上記スライダを、上記作動板の閉じ位置に対応する位置までスライドさせることを特徴とする換気装置。
【請求項８】
上記バネは、異常高温時に一直線になるように形状記憶処理されており、
上記本体はバネ係止部を有し、環境温度が異常レベルまで上昇して上記バネの自由端が変位した時に、この自由端を上記バネ係止部で係止することを特徴とする請求項１〜７のいずれかに記載の換気装置。
【請求項９】
上記本体は、その主要部とは別体をなして当該主要部に固定される取付部材を有し、
上記取付部材は、上記バネの上記固定端が挿入される固定穴と、上記バネの自由端が挿入される切欠又はスリットを有し、
上記切欠またはスリットにおける上記固定穴から離れた端が、上記バネ係止部として提供されることを特徴とする請求項８に記載の換気装置。
【請求項１０】
上記主壁が垂直をなし、上記バネが上記主壁とほぼ平行をなして起立していることを特徴とする請求項１〜９のいずれかに記載の換気装置。
【発明の詳細な説明】
【技術分野】
【０００１】
本発明は、火事の時に通気を自動的に遮断する機能を有する換気装置に関する。
【背景技術】
【０００２】
特許文献１、２に示すように、サッシ戸に装着される換気装置を例にとって説明する。このタイプの換気装置は、内部空間を有する細長い本体と、この本体内に長手方向にスライド可能に収容された細長い作動板と、室内側に配置された操作部材とを備えている。本体は、通気口が形成された主壁部を有している。操作部材の手動操作により、作動板は、通気口を閉じる位置（閉じ位置）と通気口を開く位置（開き位置）との間でスライド操作される。
【０００３】
火災発生時には室外から室内へ、または室内から室外への延焼を防ぐために通気口を閉じるのが好ましいが、緊迫した状況では換気装置の状態を確認する余裕がなく、通気口を閉じるのが困難である。
【０００４】
文献３の図３に開示された換気装置では、通気口を有する本体に防火ダンパが回動可能に支持されている。この防火ダンパは、バイアスバネにより閉じ方向に付勢されているが、形状記憶合金製のバネにより開き状態を維持されている。火事が発生して環境温度が異常レベルまで上昇した時には、形状記憶合金製のバネが伸びるため、防火ダンパはバイアスバネの力で自動的に閉じるようになっている。
【０００５】
文献４の換気装置では、通気口を有する本体に作動板がスライド可能に支持されており、２組の形状記憶合金製のバネとバイアススプリングにより、環境温度が低温になった時および高温になった時に、作動板が換気口を閉じるようになっている。この換気装置は、防火が目的ではないが、火災発生により環境温度が異常高温になった時に自動的に換気口を閉じることができる。
【０００６】
文献５に開示された換気装置では、通気口を有する本体に防火ダンパが回動可能に支持されている。この防火ダンパは、防火ダンパ用スプリングにより強制閉じ方向に付勢されているが、ロック手段により本体から離れた開き位置に維持されている。ロック手段はバイアスバネと形状記憶合金製のバネとを有している。火事が発生して環境温度が異常レベルまで上昇した時には、ロック手段による防火ダンパのロック状態を解除し、通気口を閉じるようになっている。
【先行技術文献】
【特許文献】
【０００７】
【特許文献１】特開平１０−１１５１５６号公報
【特許文献２】特開平１１−６２４２３号公報
【特許文献３】実用新案登録３０１９３９５号公報
【特許文献４】実開昭６３−１８５０４４号公報
【特許文献５】特開平７−２７９５５４号公報
【発明の概要】
【発明が解決しようとする課題】
【０００８】
特許文献３〜５に示す換気装置は、形状記憶合金製のバネを利用して火事の時に自動的に通気口を閉じ、延焼を防ぐことができるものの、手動による開閉操作を行うことができない。
特許文献３、４に示す換気装置は、火災発生の際に一時的に換気装置近傍の環境温度が低下するとバイアスバネの力で作動板は開き位置に戻ってしまう。そのため、新鮮な空気が室内に入り込み、高温で乾燥した室内で発火したり燃焼が激しくなる等の不都合が生じる。
特許文献５に示す換気装置は、ロック手段を装備しているため、防火ダンパは一旦閉じると開かないが、構成が複雑となる。
【課題を解決するための手段】
【０００９】
本発明は、上記課題を解決したもので、ア．通気口が形成された主壁部を有する本体と、
イ．上記本体に、上記通気口を開く開き位置と上記通気口を閉じる閉じ位置との間で、スライド可能に支持された作動板と、ウ．上記本体の室内側に配置されて上記作動板をスライド操作する操作部材と、を備えた換気装置において、
さらに形状記憶合金製のバネを備え、このバネの一端が上記本体に固定された固定端となり、他端が自由端となっており、通常の環境温度では、上記バネの弾性力が上記作動板に作用せず、上記作動板は上記操作部材により選択された位置を維持され、火災により環境温度が異常レベルまで上昇した時には、上記バネが高温での記憶形状に戻ろうとして上記自由端が変位し、この自由端が上記開き位置にある上記作動板に直接または間接的に作用し、上記バネの弾性力により上記作動板を、上記操作部材の操作による閉じ位置またはこの閉じ位置とは異なる閉じ位置まで移動させ、上記通気口を閉じることを特徴とする。
【００１０】
上記構成によれば、簡単な構成でありながら、火事の際には形状記憶合金製のバネの弾性力により作動板を自動的に閉じ動作させることができ、通気口を介しての延焼を防止できる。また、バイアススプリングを用いないので、環境温度が一時的に低下した時でも一旦閉じた作動板が戻ることがなく、新鮮な空気流入による室内燃焼の激化等の不都合も防止できる。通常時は操作部材の手動操作により開閉調節を行うことができる。
【００１１】
本発明の一態様では、上記本体および上記作動板が細長く形成され、上記作動板が上記長手方向にスライド可能であり、上記本体の主壁部には、上記通気口が長手方向に等間隔をおいて多数形成され、上記作動板には、多数の制御口が長手方向に上記通気口と同一ピッチで形成され、上記作動板は、上記主壁部に接しながらスライドし、上記開き位置では上記制御口が上記通気口と一致して上記通気口を開き、上記閉じ位置では上記制御口が上記通気口と不一致となって上記通気口を閉じ、上記作動板には、環境温度が異常レベルまで上昇した時に上記バネの自由端から上記バネの弾性力を受けるバネ受け部が設けられている。
【００１２】
上記一態様において好ましくは、上記作動板は、上記本体の上記主壁部に接し上記制御口を形成してなる主板部と、この主板部と直交する副板部とを有し、この副板部に形成された切欠の端が上記バネ受け部として提供される。
この構成によれば、バネ受け部の構成を簡略化することができる。
【００１３】
上記一態様において好ましくは、上記操作部材による上記作動板の上記閉じ位置を第１閉じ位置とし、上記バネによる上記作動板の閉じ位置を第２閉じ位置とし、上記作動板の上記開き位置から上記第１閉じ位置までの移動ストロークは、上記通気口の１ピッチより長く、上記作動板の上記開き位置から上記第２閉じ位置までの移動ストロークは、上記通気口の１ピッチより小さい。
この構成によれば、バネの小型化と手動による開閉操作時の操作感を両立させることができる。
【００１４】
より好ましくは、上記作動板の上記開き位置から上記第１閉じ位置までの移動ストロークが、上記通気口の１．５ピッチであり、上記作動板の上記開き位置から上記第２閉じ位置までの移動ストロークが、上記通気口の１．５ピッチである。
【００１５】
本発明の他の態様では、上記本体および上記作動板が細長く形成され、上記作動板は、上記本体に長手方向にスライド可能かつ回動可能に支持され、上記スライドの過程でカム部材により回動され、上記開き位置では上記主壁部に対して離間して上記通気口を開き、上記閉じ位置では上記壁に接近して上記通気口を閉じ、さらに、上記本体に長手方向にスライド可能に支持されたスライダを備え、このスライダは、上記作動板に対して軸方向相対移動不能であるが上記作動板の回動を許容するように連結され、上記スライダは、環境温度が異常レベルまで上昇した時に上記バネの自由端から上記バネの弾性力を受けるバネ受け部を有する。
【００１６】
本発明のさらに他の態様では、ア．通気口が形成された主壁部を有する本体と、イ．上記本体に回動可能に支持された作動板と、ウ．上記本体の室内側に配置された操作部材と、エ．上記操作部材に連結され上記本体にスライド可能に支持されたスライダと、オ．上記スライダに支持されたカム部材と、を備え、上記操作部材の操作により上記スライダをスライドさせ、このスライド過程で上記カム部材のカム作用により上記作動板を回動し、上記通気口を開閉する換気装置において、
さらに形状記憶合金製のバネを備え、このバネの一端が上記本体に固定された固定端となり、他端が自由端となっており、通常の環境温度では、上記バネの弾性力が上記スライダに作用せず、上記作動板は上記操作部材により選択された位置を維持され、火災により環境温度が異常レベルまで上昇した時には、上記バネが高温での記憶形状に戻ろうとして上記自由端が変位し、この自由端が上記作動板の開き位置に対応した位置にある上記スライダに作用し、上記バネの弾性力により上記スライダを、上記作動板の閉じ位置に対応する位置までスライドさせることを特徴とする。
【００１７】
本発明の全ての態様において、好ましくは、上記本体はバネ係止部を有し、環境温度が異常レベルまで上昇して上記バネの自由端が変位した時に、この自由端を上記バネ係止部で係止する。
この構成によれば、火災発生時にバネの弾性力により作動板を正確に設定された閉じ位置に移動させることができる。また、換気装置に損傷が無い場合には、作動板を開き位置に戻す過程でバネを初期形状に戻し、自由端を初期位置に戻すことができるので、再利用が可能となる。
【００１８】
さらに好ましくは、上記バネはＵ字形をなし、上記本体は、その主要部とは別体をなして当該主要部に固定される取付部材を有し、上記取付部材は、上記バネの上記固定端が挿入される固定穴と、上記バネの自由端が挿入される切欠又はスリットを有し、上記切欠またはスリットにおける上記固定穴から離れた端が、上記バネ係止部として提供される。
この構成によれば、火災時の自動閉じ機能のための構成をより一層簡略化することができる。
【発明の効果】
【００１９】
本発明によれば、簡単な構成でありながら、通常の手動操作による開閉機能を確保しつつ、火災発生時の自動閉じ動作を行うことができ、しかもこの閉じ状態を維持できる。
【図面の簡単な説明】
【００２０】
【図１】本発明の第１実施形態をなす換気装置を室内側から見た斜視図である。
【図２】同換気装置を室外から見た斜視図である。
【図３】同換気装置の側断面図である。
【図４】同換気装置に組み込まれる形状記憶合金製バネの斜視図であり、（Ａ）は通常状態、（Ｂ）は火災時に熱を受けた時の状態をそれぞれ示す。
【図５】同換気装置の要部平断面図であり、（Ａ）は手動操作による開状態、（Ｂ）は手動操作による閉状態、（Ｃ）は火災発生時の閉じ状態をそれぞれ示す。
【図６】同換気装置における形状記憶合金製バネと作動板との関係を示す要部断面図であり、（Ａ）は手動操作による開状態、（Ｂ）は手動操作による閉状態、（Ｃ）は火災時の閉じ状態をそれぞれ示す。
【図７】本発明の第２実施形態をなす換気装置の長手方向中間部の断面図である。
【図８】同換気装置の端部の断面図である。
【図９】同換気装置の端部の内部構造を室外側から見た図である。
【図１０】同換気装置の端部の平断面図であり、（Ａ）は手動操作による開状態、（Ｂ）は手動操作による閉状態、（Ｃ）は火災時の閉じ状態をそれぞれ示す。
【図１１】同換気装置に用いられる形状記憶合金製のバネと取付部材とスライダを示す斜視図であり、（Ａ）は斜め上方から、（Ｂ）は斜め下方から見た図である。
【図１２】本発明の第３実施形態をなす換気装置の端部の平断面図であり、（Ａ）は手動操作による開状態、（Ｂ）は手動操作による閉状態、（Ｃ）は火災時の閉じ状態をそれぞれ示す。
【図１３】形状記憶合金製のバネの変形例を示す正面図である。
【発明を実施するための形態】
【００２１】
以下、本発明の第１実施形態をなす換気装置を、図1〜図６を参照しながら説明する。
本実施形態の換気装置は、左右に細長く形成されサッシ戸の上框として用いられる。図１〜図３に示すように、換気装置は、本体１０と、作動板２０と、操作部材３０とを基本構成要素として備えている。
【００２２】
本実施形態では、本体１０は、それぞれアルミ型材からなる主部材１１とレール受け部材１７を有している。主部材１１（主要部）は、室内側壁部１２と、室外側壁部１３（主壁部）と、これら室内側壁部１２と室外側壁部１３を連ねる水平壁部１４と、上記室内側壁部１２、室外側壁部１３からそれぞれ下方に垂直に延びる垂直壁部１５，１６を有している。これら垂下壁部１５、１６により、ガラス板が嵌め込まれるガラス板受け溝１０ｃが形成されている。
【００２３】
上記レール受け部材１７は、断面Ｕ字形状をなし、図示しない窓枠の上レールを受けるレール受け溝１０ｂを有し、その室内側上縁部および室外側上縁部が、上記室内側壁部１２および室外側壁部１３に形成された嵌合部に嵌っている。上記室内側壁部１２と、室外側壁部１３と、水平壁１４と、レール受け部材１７により、本体１０の内部空間１０ａが構成されている。
【００２４】
上記室内側壁部１２には、縦長の通気口１２ａが左右方向（長手方向）に等ピッチで形成されており、室外側壁部１３にも縦長の通気口１３ａ（通気口）が左右方向に等ピッチで形成されている。これら通気口１２ａ，１３ａと上記内部空間１０ａにより、通気路１０ｘが構成されている。
【００２５】
本実施形態では、室内側壁部１２の一端部（室内側から見て右端部）を除く領域には、フィルタ１８とフィルタ押さえ１９が配されている。このフィルタ押さえ１９は、左右方向に間隔をおいて形成された多数の縦長の通気口１９ａを有し、その上下縁は、室内側壁部１２に上下に対向して形成された係合溝１２ｂ、１２ｃに嵌められている。
【００２６】
上記作動板２０もアルミ型材からなり、図３に示すように垂直をなす主板部２１と、主板部２１の上、下縁から室内方向に向かって突出する幅の狭い副板部２２、２３とを有している。
上記作動板２０は、主板部２１が本体１０の室外側壁部１３に接し、下側の副板部２３が水平壁部１４に接した状態で、本体１０に左右方向（長手方向）にスライド可能に支持されている。
【００２７】
図５に示すように、上記作動板２０には、間隔をおいて２，３カ所に樹脂製の付勢部材５０が取り付けられている。この付勢部材５０は、本体１０の内部空間１０ａの底部に配置され、上記制御口２１ａに嵌る係合部５１を有し、室内側に円弧状の弾性部５２を有している。この弾性部５２が弾性変形した状態で水平壁部１４の隆起部１４ａに当たることにより、作動板２０の主板部２１が室外側壁部１３に押し当てられるようになっている。
【００２８】
上記作動板２０の主板部２１には、縦長の制御口２１ａが長手方向に等ピッチで形成されている。この制御口２１ａは、上記室外側壁部１３の通気口１３ａとピッチが等しく、好ましくは同形状をなしている。
【００２９】
上記作動板２０は、上記操作部材３０の手動操作により上記開き位置と上記閉じ位置（第１閉じ位置）との間でスライドされる。
作動板２０が開き位置にある時、制御口２１ａが通気口１３ａと一致し、通気口１３ａ（ひいては通気路１０ｘ）が開かれる。また、作動板２０が閉じ位置にある時、制御口２１ａが通気口１３ａと不一致となり、通気口１３ａ（ひいては通気路１０ｘ）が閉じられる。
【００３０】
図１、図５に示すように、操作部材３０は、枠部材４０を介して本体１０の室内側壁部１２の右端部に、左右方向にスライド可能に支持されている。以下、具体的に説明する。
上記室内側壁部１２の右端部には、左右方向に延びてその右端に達する切欠１２ｄが形成されている。この切欠１２ｄの上下方向の寸法は、通気口１２ａとほぼ同程度である。上記枠部材４０は、この切欠１２ｄを塞ぐようにして室内側壁部１２に取り付けられている。枠部材４０の上下縁は、上記係合溝１２ｂ、１２ｃに嵌められている。枠部材４０には、左右に細長い操作口４１が形成されている。
【００３１】
上記操作部材３０は、上記枠体４０の操作口４１より面積の大きく枠体４０の裏側に配置される裏板部３１と、この裏板部３１の室内側の面から突出するつまみ部３２と、裏板部３１の下端から室外方向に向かって水平に延びる延出部３３と、この延出部３３からさらに室外方向に突出する係合凸部３４とを有している。
【００３２】
上記操作部材３０は、そのつまみ部３２を上記枠体４０の操作口４１に挿入することにより、左右方向にスライド可能に支持されている。上記係合凸部３４が上記作動板２０の制御口２１ａ（係合穴として機能する）に嵌め込まれることにより、操作部材３０と作動板２０が連結され、操作部材３０のスライドに伴い、作動板２０が一緒にスライドするようになっている。操作部材３０は、作動板２０が上記開き位置にある時に操作口４１の右端４１ａ（操作部材係止部）に当たり、作動板２０が閉じ位置にある時に操作口４１の左端４１ｂ（操作部材係止部）に当たる。これにより、作動板２０を開き位置と閉じ位置で正確に位置決めすることができる。
【００３３】
次に、本発明の特徴について詳述する。換気装置は図４に示す形状記憶合金製のバネ６０を備えている。このバネ６０は、通常温度ではＵ字形をなしているが、火災時に熱を受けて異常高温（例えば８０°以上）になると一直線になるように形状記憶処理されている。
【００３４】
バネ６０の一端６１は取付部材６５の一端近傍の固定孔６５ａに挿入されて固定端となっている。バネ６０の他端６２は取付部材６５の他端近傍の切欠６５ｂ内に配置されているが、取付部材６５に拘束されず、自由端となっている。後述するように、切欠６５ｂの左側の端６５ｘはバネ係止部として提供される。
取付部材６５は、本体１０の右端部において水平壁部１４の隆起部１４ａにねじ等で固定されており、本体１０の一部を構成している。この取付部材６５の固定状態において、バネ６０の固定端６１と自由端６２は、本体１０の長手方向に離れている。また、バネ６０は、室外側壁部１３とほぼ平行をなして起立している。
【００３５】
図５に示すように、上記作動板２０の下側の副板部２３の右端部には切欠２３ａが形成されている。この切欠２３ａ内に、上記バネ６０の自由端６０ｂが入り込んでいる。後述するように、作動板２０の切欠２３ａの左側の端２３ｘはバネ受け部として提供される。
【００３６】
上記構成をなす換気装置において、通常使用状態では、操作部材３０により作動板２０を左右方向にスライドさせて、通気路１０ｘを開閉する。以下、簡単に説明する。
図５（Ａ）に示すように、操作部材３０を枠部材４０の操作口４１の右端４１ａに当たるまで右方向に移動させると、作動板２０は開き位置に達し、作動板２０の制御口２１ａと室外側壁部１３の通気口１３ａとが一致し、通気路１０ｘが開く。その結果、室内外の換気が行われる。
上記作動板２０が開き位置にある時、図５（Ａ）、図６（Ａ）に示すように、バネ６０の自由端６２は取付部材６５の切欠６５ｂの右端に接するかその近傍に位置しており、作動板２０のバネ受け部２３ｘは、自由端６２から若干離れているか、接していてもバネ６０の力を受けない。
【００３７】
図５（Ｂ）に示すように、操作部材３０を枠部材４０の操作口４１の左端４１ｂに当たるまで左方向に移動させると、作動板２０は第１閉じ位置に達し、作動板２０の制御口２１ａと室外側壁部１３の通気口１３ａが不一致となる。その結果、通気路１０ｘが閉じられ、室内外の空気が遮断される。
上記第１閉じ位置では、図５（Ｂ）、図６（Ｂ）に示すように、作動板２０の切欠２３ａの左端すなわちバネ受け部２３ｘがバネ６０の自由端６２からさらに離間する。
【００３８】
本実施形態では、図５（Ｂ）、図６（Ｂ）に示すように、上記作動板２０の開き位置から第１閉じ位置までの移動ストロークＳａは、通気口１３ａのピッチより大きく、そのピッチの１．５倍である。したがって、作動板２０が開き位置から第１閉じ位置まで移動する過程で、通気口１３ａは開、閉、開、を順に経て閉となる。
【００３９】
上記作動板２０が開き位置にある状態で火事が発生し、換気装置の環境温度が異常なレベル（例えば８０°Ｃ）に達すると、図５（Ｃ）、図６（Ｃ）に示すように、バネ６０が高温の記憶形状（真直形状）に戻ろうとし、Ｕ字形の曲率半径が増大し、自由端６２が左方向に移動する。その結果、自由端６２が作動板２０のバネ受け部２３ｘに当たり、バネ６０の弾性により作動板２０が左方向に移動する。やがてバネ６０の自由端６２が取付部材６５のバネ係止部６５ｘに当たるため、それ以上作動板２０を左方向に移動できなくなり、作動板２０は第２閉じ位置で停止する。この停止状態で、作動板２０のバネ受け部２３ｘがバネ係止部６５ｘと一致する。
【００４０】
図５（Ｃ）、図６（Ｃ）に示すように、上記作動板２０の開き位置から第２閉じ位置までの移動ストロークＳｂは、通気口１３ａ，２１ａのピッチより小さく、そのピッチの０．５倍である。この第２閉じ位置でも第１閉じ位置と同様に、作動板２０の制御口２１ａと室外側壁部１３の通気口１３ａが不一致となり通気路１０ｘが閉じ、室内外の空気が遮断される。その結果、延焼や、室内への新鮮な空気の流入による室内の燃焼激化を防止することができる。
【００４１】
作動板２０にはバイアスバネが連結されておらず、上記形状記憶合金製のバネ６０は異常高温で一旦延びると元に復帰しないので、一時的に換気装置の環境温度が一時的に低下しても、上記作動板２０は第２閉じ位置のまま維持される。その結果、環境温度が一時低下しても作動板２０が開き位置に戻ることはなく、新鮮な空気が室内に流入して室内の燃焼激化を招くことはない。
【００４２】
バネ６０の自由端６２は取付部材６５のバネ係止部６５ｘに係止され、作動板２０のバネ係止部２３ｘの移動経路に位置しているので、火災によって換気装置が破損していない場合には、操作部材３０を操作して作動板２０を開き位置に戻し、その過程でバネ受け部２３ｘによって自由端６２を押し戻すことにより、バネ６０を初期形状に戻すことができ、自由端６２を初期位置に戻すことができる。その結果、換気装置を再利用することができる。
【００４３】
なお、低温時にバネ６０が元の形状に戻るようにしてもよい。この場合、火災発生後に一時的に環境温度が低下しても自由端６２が作動板２０のバネ受け部２３ｘから離れるだけであり、作動板２０の閉じ状態を維持することができる。
【００４４】
上記実施形態では、換気口１３ａのピッチを、一般的な換気装置より短くし（例えば１０ｍｍ程度）、火災発生時にバネ６０の力で作動板２０を閉じる時の移動ストロークを短くした。これにより、比較的小型のバネ６０で、作動板２０の閉じ動作を実行することができる。手動操作の場合には、移動ストロークが短いとユーザーが開閉操作した時に確実に開き動作または閉じ動作をしたか不安に感じるので、バネ６０による閉じ動作ストロークより長くした。
【００４５】
なお、換気口１３ａのピッチを、一般的な換気装置と同程度にし、バネ６０による閉じ動作ストロークと操作部材３０による開閉動作時のストロークを、ともに上記ピッチの０．５倍としてもよい。
【００４６】
次に、本発明の他の実施形態について説明する。これら実施形態において先行する実施形態に対応する構成部については、同番号または類似番号を付してその詳細な説明を省略する。
図７〜図１１に示す第２実施形態では、作動板２０’が本体１０’に対してスライド可能かつ回動可能に支持されている。以下、詳述する。
【００４７】
図７に示すように、本体１０’は、２つのアルミ型材１０ｈ、１０ｉと樹脂型材１０ｊにより細長く形成され、中間部に内部空間１０ａを有し、上部にレール受け溝１０ｂを有し、下部にガラス板受け溝１０ｃを有している。
【００４８】
通気路１０ｘは、内部空間１０ａと、中間の型材１０ｈの壁部１２’（主壁部）の通気口１２ａ’と、室外側型材１０ｉの壁部１３’の通気口１３ａ’と、室内側型材１０ｊの壁部１２”の通気口１２ａ”により構成されている。
【００４９】
作動板２０’は、細長く形成されて上記本体１０内に収容され、その上縁部が本体１０の壁部１２’の上端部に、長手方向スライド可能かつ回動可能に支持されている。
図８、図９に示すように、作動板２０’は、室外側から見て左端部において操作部材３０’に連結されている。操作部材３０’は係合凸部３９を有し、この係合凸部３９が作動板２０’の係合穴２９に上下方向の遊びを有して入り込むことにより、操作部材３０’と作動板２０’は、長手方向に相対移動不能、かつ作動板２０’の回動を許容するように連結されている。
【００５０】
操作部材３０’により作動板２０’は開き位置と閉じ位置との間でスライド操作される。操作部材３０のつまみ部３２が枠部材４０の操作口の両端に当たることにより上記作動板２０’の開き位置と閉じ位置が定まる点は、第１実施形態と同様である。
【００５１】
作動板２０’は、上記スライドの過程で図１０に示すカム部材７０により、上記壁部１２’に対して接近、離間するように回動する。カム部材７０は、例えば本体１０’の長手方向に離れて２つ配置されて水平壁部１４’に固定されている。カム部材７０は各壁部１２’に対して傾斜する傾斜面７１，７２を有している。他方、作動板２０’は、その下縁に対をなす突起２５，２６を有している。
【００５２】
室外側から見て操作部材３０’が操作口の左端に当たっている時、図７〜図９、図１０（Ａ）に示すように、作動板２０’が壁部１２’から離れており、換気口１２ａ’は開かれている。
【００５３】
操作部材３０を操作口の右端に当たるまで操作することにより、作動板２０’を図１０（Ａ）に示す開き位置から右方向に閉じ位置に向かってスライドすると、突起２５が傾斜面７１に案内されることにより、図８中想像線で示すとともに図１０（Ｂ）に示すように、作動板２０’が壁部１２’に接近して通気口１２ａ’を塞ぐ。これとは逆に操作部材３０’の操作により、作動板２０’が図１０（Ｂ）に示す閉じ位置から、左方向に開き位置に向かってスライドすると、突起２６が傾斜面７２に案内されることにより、図１０（Ａ）に示す開き位置に戻る。
【００５４】
図１１に示すように、本実施形態の換気装置は、第1実施形態と同様の形状記憶合金製のバネ６０と、本体１０’の一部を構成する取付部材８０と、スライダ９０とを備えている。
【００５５】
取付部材８０は、左側の低い第１部分８１と、右側の高い第２部分８２とを有している。第１部分８１に形成された固定穴８１ａにバネ６０の固定端６１が挿入され、第２部分８２に形成された左右方向に延びるスリット８３に、バネ６０の自由端６２が挿入されている。スリット８３の右側の端８３ｘはバネ係止部として提供される。
取付部材８０の第１部分８１を本体１０’の水平壁１４’の室外側部分にねじで固定することにより、バネ６０が本体１０’に設置される。
【００５６】
上記スライダ９０は、室内外方向に細長いスライド部９１と、このスライド部９１の中間位置から起立する起立部９２と、この起立部９２の上縁から室内方向に向かって延びる支持板部９３とを有している。上記スライド部９１は、その室外側の部位を上記取付部材８０の第２部分８２と水平壁部１４’との間の隙間に入り込ませた状態で、左右方向（本体１０’の長手方向）にスライドするようになっている。このスライド部９１の室外側の部位の側面９１ｘは後述するバネ受け部として提供される。
【００５７】
上記支持板部９３には、室内外方向に延びる係合穴９３ａが形成されており、この係合穴９３ａには、図９、図１０に示すように、作動板２０’の下縁の左端近傍に形成された突起２７が入り込んでいる。これにより、作動板２０’とスライダ９０は、長手方向相対移動不能かつ作動板２０’の回動を許容するように連結されている。
【００５８】
上記構成の換気装置において、通常使用状態では、図１０（Ａ），（Ｂ）に示すように、バネ６０の自由端６２は、取付部材８０のスリット８３の左端またはその近傍に位置している。
上述したように、操作部材３０の手動操作により、作動板２０を左右方向にスライドさせ、カム部材７０のカム作用を利用して通気口１２ａ’（通気路１０ｘ）を開閉する。
【００５９】
上記スライダ９０は、上記作動板２０’に追随して左右方向にスライドする。作動板２０’が開き位置にある時には、図９、図１０（Ａ）に示すように、スライダ９０のバネ受け部９１ｘは、バネ６０の自由端６２に接するかその近傍に位置している。バネ６０の力はスライダ９０に作用していない。
作動板２０’が閉じ位置にある時には、図１０（Ｂ）に示すように、スライダ９０はバネ６０の自由端６２から離れる。
【００６０】
上記作動板２０’が開き位置にある状態で火事が発生し、換気装置の環境温度が異常なレベル（例えば８０°Ｃ）に達すると、バネ６０が高温の記憶形状（真直形状）に戻ろうとし、Ｕ字形の曲率半径が増大し、自由端６２が右方向に移動する。バネ６０の自由端６２がスライダ９０のバネ受け部９１ｘを押すため、図１０（Ｃ）に示すように、スライダ９０が右方向にスライドし、これに追随して作動板２０’が右方向に移動する。その結果、操作部材３０’の手動操作による閉じ動作と同様に、作動板２０’はカム部材７０の作用で回動して通気口１２ａ’を閉じる。
【００６１】
上記異常高温時に、バネ６０の自由端６２はスリット８３のバネ係止部８３ｘに係止される。なお、上記スライダ９０のスライドに伴い、作動板２０’がスライドするとともに、操作部材３０’も枠部材４０に対してスライドする。作動板２０’の閉じ位置では、バネ６０の自由端６２がバネ係止部８３ｘに係止されると同時に、操作部材３０’が枠部材４０の操作口の右端に係止される。
【００６２】
作動板２０’にはバイアスバネが連結されておらず、上記形状記憶合金製のバネ６０は異常高温で一旦延びると元に復帰しないので、一時的に換気装置の環境温度が一時的に低下しても、上記作動板２０’の閉じ位置はそのまま維持される。その結果、環境温度が一時低下した時に作動板２０が開き位置に戻ることはなく、新鮮な空気が室内に流入して室内の燃焼が激化するような不都合を防止できる。
【００６３】
上述したように、バネ６０の自由端６２がバネ係止部８３ｘに係止され、スライダ９０のバネ受け部９１ｘの移動経路にあるため、火災によって換気装置が破損していない場合には、操作部材３０’を操作して作動板２０を開き位置に戻し、その過程でスライダ９０のバネ受け部９１ｘにより自由端６２を押し戻すことにより、バネ６０を初期形状に戻すことができ、自由端６２を初期位置に戻すことができる。その結果、換気装置を再利用することができる。
【００６４】
図１２に示す第３実施形態では、作動板２０’が本体１０’に対してスライド不能で回動のみ可能に支持されている。その代わりに、カム部材７０が本体１０’の長手方向に移動するようになっている。以下、詳述する。
【００６５】
本体１０’には、その長手方向にスライド可能にスライダ１００が支持されている。このスライダ１００は、長手方向に沿って延びる第１スライダ部９５と、この第１スライダ部９５の左端に固定され室内外方向に延びる第２スライダ部９０”とを有している。
第１スライダ部９５にはカム部材７０が固定されている。第２スライダ部９０”の構成は第２実施形態のスライダ９０と同様であるので、詳細な説明を省略する。ただし、第２実施形態のような係合穴９３ａは形成されていない。
【００６６】
上記第２スライダ部９０”には連結部９６を介して操作部材３０”が連結されている。図１２において操作部材３０”は簡単な形状で示されている。操作部材３０”の基本形状は第１、第２実施形態と同様であるが、作動板２０’に連結されていない。
本実施形態でも、第２実施形態と同様の形状記憶合金製のバネ６０と取付部材８０が用いられる。カム部材７０も第２実施形態と同様であるが、傾斜面７１，７２の向きが逆になっている。
【００６７】
上記構成において、図１２（Ａ）に示す開き状態から、操作部材３０”を右方向に移動させると、スライダ１００およびカム部材７０が同方向にスライドする。この過程で、カム部材７０の傾斜面７１が突起２５に当たり、突起２５を傾斜面７１に沿って案内することにより、図１２（Ｂ）に示すように、作動板２０’が壁部１２’に接近して通気口１２ａ’を塞ぐ。
これとは逆に操作部材３０”を左方向に移動させると、スライダ１００およびカム部材７０が同方向にスライドする。この過程で、カム部材７０の傾斜面７２が突起２６に当たり、突起２６を傾斜面７２に沿って案内することにより、図１２（Ａ）に示すように、作動板２０’が壁部１２’から離れて通気口１２ａ’を開く。
【００６８】
上記作動板２０’が開き位置にある状態で火事が発生し、換気装置の環境温度が異常なレベルに達すると、バネ６０の自由端６２が右方向に移動し、この自由端６２がスライダ１００のバネ受け部９１ｘを押すため、図１０（Ｃ）に示すように、スライダ１００が右方向にスライドし、これに追随してカム部材７０が右方向に移動する。その結果、操作部材３０”の手動操作による閉じ動作と同様に、作動板２０’はカム部材７０の作用で回動して通気口１２ａ’を閉じる。
他の作用は第２実施形態と同様であるので詳細な説明は省略する。
【００６９】
図１３は、形状記憶合金製のバネ６０の変形例を示す。このバネ６０はＵ字形の中央に巻き部分６５を有し、環境温度が異常レベルまで上昇した時の弾性力を高めている。
【００７０】
本発明は上記実施形態に制約されず、種々の形態を採用可能である。
上記実施形態の換気装置はサッシ戸の上框として機能するいわゆる框一体型であるが、框と別体をなし框に沿って設置される換気装置であってもよい。
さらに本発明は、内部空間を有さない換気装置にも適用することができる。
上記実施形態では、形状記憶合金製のバネは線状のＵ字形をなしていて、異常高温時に延びて作動板またはスライダを押すことにより閉じ動作を行ったが、異常高温時に縮んで（曲率半径が小さくなって）作動板またはスライダを引き寄せることにより、閉じ動作を行ってもよい。さらにバネ形状は、板バネ状であってもよいし、コイルスプリング形状であってもよい。
【００７１】
上記実施形態において、本体内に発泡剤を収容してもよい。この発泡剤は火事の際に加熱発泡して本体の内部空間を満たすので、形状記憶合金製のバネによる作動板の閉じ動作と相まって、防炎効果を高めることができる。この発泡剤の発泡温度は、形状記憶合金製のバネの閉じ動作温度（例えば８０°Ｃ）より高く、例えば２００°Ｃとするのが好ましい。このようにすれば、火事の時にバネによる作動板の閉じ動作が実行された後で発泡剤が発泡するので、作動板の動作を妨げることがない。また、バネによる作動板の閉じ動作が実行されても環境温度が２００°Ｃに達せず発泡剤が発泡しない場合には、換気装置の再利用が可能である。
【産業上の利用可能性】
【００７２】
本発明は、防炎機能を有する換気装置に適用できる。
【符号の説明】
【００７３】
１０  本体
１０ａ  内部空間
１０ｘ  通気路
１２’  壁部（主壁部）
１２ａ’  通気口
１３  室外側壁部（主壁部）
１３ａ  通気口
２０，２０’  作動板
２１ａ  制御口
２１  主板部
２３  副板部
２３ｘ  切欠の端（バネ受け部）
３０，３０’、３０”  操作部材
６０  形状記憶合金製のバネ
６１  固定端
６２  自由端
６５  取付部材
６５ａ  固定穴
６５ｂ  切欠
６５ｘ  切欠の端（バネ係止部）
７０  カム部材
８０  取付部材
８３  スリット
８３ｘ  スリットの端（バネ係止部）
９０  スライダ
９１ｘ  側面（バネ受け部）
１００  スライダ
【図１】
0006491938.tif 000002
【図２】
0006491938.tif 000003
【図３】
0006491938.tif 000004
【図４】
0006491938.tif 000005
【図５】
0006491938.tif 000006
【図６】
0006491938.tif 000007
【図７】
0006491938.tif 000008
【図８】
0006491938.tif 000009
【図９】
0006491938.tif 000010
【図１０】
0006491938.tif 000011
【図１１】
0006491938.tif 000012
【図１２】
0006491938.tif 000013
【図１３】
0006491938.tif 000014